(57)【要約】【課題】待機電力を抑制できるとともに、自装置への給電が予期せず停止した後に復旧した場合に中断した制御部の処理を再実行できること。【解決手段】主制御部１は、外部電源９の給電の異常が検知された場合に所定の設定信号Ｓｔを出力し、電池４から給電される回路が設定信号Ｓｔに対応する異常時用制御信号Ｓｐ２を維持し、異常用スイッチ回路３５は、異常時用制御信号Ｓｐ２に従って内部電源３１から主制御部１への給電状態を給電ＯＦＦ状態から給電ＯＮ状態へ切り替える。【選択図】図３
2016192652.tif 000002
【特許請求の範囲】
【請求項１】
外部電源から給電される内部電源と、
前記外部電源から前記内部電源への給電の異常を検知する異常検知部と、
他の機器を制御するとともに、前記異常検知部が前記給電の異常を検知した場合に予め定められた設定信号を出力する制御部と、
操作部に対する操作に応じて前記内部電源から前記制御部への給電状態を給電ＯＦＦ状態から給電ＯＮ状態へ切り替える操作用スイッチ回路と、
電池と、
前記電池から給電され、前記制御部から前記設定信号が入力された場合に異常時用制御信号を出力するとともに前記異常時用制御信号の出力状態を維持する回路を含む電池駆動回路と、
前記異常時用制御信号に従って前記内部電源から前記制御部への給電状態を給電ＯＦＦ状態から給電ＯＮ状態へ切り替える異常時用スイッチ回路と、を備える画像形成装置。
【請求項２】
前記電池駆動回路が、時刻を計時する時計回路である、請求項１に記載の画像形成装置。
【請求項３】
前記異常検知部は、前記外部電源の交流出力のゼロクロス信号が予め定められた許容時間間隔で発生しない場合に前記給電の異常を検知する、請求項１または請求項２に記載の画像形成装置。
【請求項４】
前記制御部は、前記給電の異常が検知されたときに予め定められた状態である場合にのみ前記設定信号を出力する、請求項１から請求項３のいずれか１項に記載の画像形成装置。
【請求項５】
前記内部電源から給電され、外部装置から通信回線を通じてファクシミリデータを受信可能な通信部を備え、
前記制御部は少なくとも前記通信部を通じた前記ファクシミリデータの受信に関する処理を実行する、請求項１から請求項４のいずれか１項に記載の画像形成装置。
【発明の詳細な説明】
【技術分野】
【０００１】
本発明は、画像形成装置に関する。
【背景技術】
【０００２】
一般に、プリンターまたはファクシミリ装置などの画像形成装置は、交流の外部電源から給電される。前記画像形成装置は、自装置への給電が前記外部電源の停電などにより予期せず停止した場合に生じ得る様々な不都合を回避できる機能を備えることが望まれる。
【０００３】
例えば、前記画像形成装置が、交流電源の停電を検知した場合に、電解コンデンサから給電される制御部によってメモリーの記憶情報を保護することなどが知られている（例えば、特許文献１参照）。
【先行技術文献】
【特許文献】
【０００４】
【特許文献１】特開２００６−１１２２７号公報
【発明の概要】
【発明が解決しようとする課題】
【０００５】
ところで、従来の前記画像形成装置において、待機電力を抑制するために、前記外部電源からの給電開始時に主要な制御部への給電を行わないプラグインオフ型が採用される場合がある。前記プラグインオフ型の前記画像形成装置は、前記外部電源からの給電開始後に通電用の操作スイッチが操作されて初めて、前記制御部に対する給電を開始する起動用のスイッチ回路を備える。
【０００６】
従って、従来の前記プラグインオフ型の前記画像形成装置は、自装置への給電が予期せず停止した後に復旧した場合、人手による操作なしに前記制御部が中断した処理を再実行できない。
【０００７】
しかしながら、前記プラグインオフ型の前記画像形成装置においても、前記制御部がファクシミリ受信などに関する何らかの処理を停電などに起因して中断した場合には、前記制御部が中断した処理を給電の復旧後に再実行できることが望まれる。
【０００８】
本発明の目的は、待機電力を抑制できるとともに、自装置への給電が予期せず停止した後に復旧した場合に中断した制御部の処理を再実行でき画像形成装置を提供することにある。
【課題を解決するための手段】
【０００９】
本発明の一の局面に係る画像形成装置は、内部電源と、異常検知部と、制御部と、操作用スイッチ回路と、電池と、電池駆動回路と、異常時用スイッチ回路とを備える。前記内部電源は、外部電源から給電される電源である。前記異常検知部は、前記外部電源から前記内部電源への給電の異常を検知する。前記制御部は、前記内部電源から給電され、他の機器を制御する。さらに、前記制御部は、前記異常検知部が前記給電の異常を検知した場合に予め定められた設定信号を出力する。前記操作用スイッチ回路は、操作部に対する操作に応じて前記内部電源から前記制御部への給電状態を給電ＯＦＦ状態から給電ＯＮ状態へ切り替える回路である。前記電池駆動回路は、前記電池から給電される回路である前記電池駆動回路は、前記制御部から前記設定信号が入力された場合に異常時用制御信号を出力するとともに前記異常時用制御信号の出力状態を維持する回路を含む。前記異常用スイッチ回路は、前記異常時用制御信号に従って前記二次内部電源から前記制御部への給電状態を給電ＯＦＦ状態から給電ＯＮ状態へ切り替える回路である。
【発明の効果】
【００１０】
本発明によれば、待機電力を抑制できるとともに、自装置への給電が予期せず停止した後に復旧した場合に中断した制御部の処理を再実行できる画像形成装置を提供することが可能になる。
【図面の簡単な説明】
【００１１】
【図１】図１は、本発明の実施形態に係る画像形成装置を含む画像形成システムの構成図である。である。
【図２】図２は、本発明の実施形態に係る画像形成装置のブロック図である。
【図３】図３は、本発明の実施形態に係る画像形成装置が備える給電回路およびそれに関連する機器の構成図である。
【図４】図４は、本発明の実施形態に係る画像形成装置の給電回路およびそれに関連する機器における各種の電圧および信号の変化を表すタイムチャートである。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［画像伝送システム］
まず、図１を参照しつつ、実施形態に係る画像形成装置１０を含む画像形成システムの概略構成について説明する。
【００１４】
図１が示すように前記画像形成システムは、画像形成装置１０と端末装置７とを含む。画像形成装置１０はファクシミリ通信機能を備えた装置である。
【００１５】
画像形成装置１０は、相手側の画像形成装置１０との間で第１通信回線１０１を通じてファクシミリ通信が可能である。第１通信回線１０１は、例えば公衆交換電話網である。また、第１通信回線１０１が、ＶｏＩＰ（Voice Over Internet Protocol）によって接続されるインターネット回線であることも考えられる。
【００１６】
さらに、画像形成装置１０は、第１通信回線１０１とは異なる第２通信回線１０２を通じて端末装置７と通信可能である。第２通信回線１０２は、例えばＬＡＮ（Local Aria Network）である。
【００１７】
端末装置７は、パーソナルコンピューター、タブレットコンピューターまたはスマートフォンなどの情報処理装置である。
【００１８】
［画像形成装置１０の構成］
次に、図２を参照しつつ、画像形成装置１０の概略構成について説明する。図２が示す画像形成装置１０は、ファクシミリ装置の機能に加え、スキャナー機能およびプリンター機能を備える複合機である。
【００１９】
前記スキャナー機能は、原稿を走査することによって前記原稿の画像を読み取り、原稿画像データを記憶する機能および端末装置７へ送信する機能を含む。前記プリンター機能は、端末装置７からプリントジョブデータを取得し、そのプリントジョブデータに基づく画像を前記画像記録媒体上に形成する機能を含む。
【００２０】
画像形成装置１０は、主制御部１、操作表示部２、給電回路３、スキャン部２０、スキャン制御部３０、プリント部４０、プリント制御部５０、画像処理部６０、第１通信部７０および第２通信部８０などを備える。本実施形態における画像形成装置１０は、電池４および時計回路５も備える。
【００２１】
主制御部１、スキャン制御部３０、プリント制御部５０、画像処理部６０、第１通信部７０および第２通信部８０は、それぞれバス９０に接続されおり、バス９０を通じて相互にデータの受け渡しが可能である。
【００２２】
スキャン部２０は、前記原稿に光を走査する不図示の光学系、および原稿からの反射光の光量を画素ごとに検出して原稿画像データを出力する不図示のイメージセンサーなどを備える。
【００２３】
スキャン制御部３０は、スキャン部２０を制御して前記原稿画像データを取得する。さらに、スキャン制御部３０は、バス９０を通じて前記原稿画像データを画像処理部６０などの他の機器に転送する。
【００２４】
プリント部４０は、周知の電子写真方式の画像形成処理によって前記画像記録媒体に画像を形成する。プリント部４０は、不図示の像担持体およびその周辺機器を備え、前記像担持体から前記画像記録媒体に現像剤の画像を転写するとともにその画像を前記画像記録媒体に定着させる。
【００２５】
プリント制御部５０は、画像処理部６０から記録用画像データを取得し、前記記録用画像データ基づく画像を前記記録シートに形成する処理をプリント部４０に実行させる。
【００２６】
第１通信部７０は、第１通信回線１０１を通じて相手側の画像形成装置１０との間でファクシミリ通信による画像データの送受信を行う通信インターフェイスである。例えば、第１通信部７０はモデムなどである。さらに、第１通信部７０は、バス９０を通じて画像形成装置１０の他の機器とデータの受け渡しを行う。
【００２７】
第２通信部８０は、第２通信回線１０２を通じて端末装置７などの外部装置との間でデータの送受信を行う通信インターフェイスである。さらに、第２通信部８０は、バス９０を通じて画像形成装置１０の他の機器とデータの受け渡しを行う。
【００２８】
画像処理部６０は、バス９０を通じて他の機器から得た画像データなどに対する各種のデータ処理を実行する。画像処理部６０によるデータ処理の対象は、例えば、スキャン制御部３０から得られる前記原稿画像データまたは端末装置７から第２通信部８０を通じて得られる前記プリントジョブデータおよびファクシミリジョブデータなどである。
【００２９】
例えば、画像処理部６０は、前記ファクシミリジョブデータをファクシミリ送信用の画像データへ変換する処理を実行する。また、画像処理部６０は、スキャン制御部３０から得られる前記原稿画像データおよび第２通信部８０から得られる前記プリントジョブデータを前記記録用画像データへ変換し、プリント制御部５０へ転送する処理なども実行する。さらに、画像処理部６０は、スキャン制御部３０から得られる前記原稿画像データに対し、画像回転処理、ハーフトーン処理またはサイズカット処理などの画像処理を施す機能も備える。
【００３０】
操作表示部２は、操作ボタンおよびタッチパネルなどを含む情報入力用の操作部と、液晶表示パネルおよび通知ランプなどを含む表示部とを含む。操作表示部２の前記操作部は、画像形成装置１０における主制御部１などの制御部への通電を開始するための操作スイッチである主電源スイッチ２１を含む。
【００３１】
主制御部１は、他の制御部を統括して制御する。例えば、主制御部１は、操作表示部２に操作メニューなどを表示させる。さらに、主制御部１は、操作表示部２に対する操作を通じて入力される入力情報および各種センサーの検出結果に応じて他の制御部に制御指令を出力する。図２が示すように、主制御部１は、ＭＰＵ（Micro Processor Unit）１１および記憶部１２などを備える。
【００３２】
ＭＰＵ１１は、各種の演算およびデータ処理を実行するプロセッサーである。記憶部１２は、ＭＰＵ１１に各種の処理を実行させるためのプログラムおよびＭＰＵ１１が参照するその他の各種情報を記憶する不揮発性の記憶部である。
【００３３】
また、記憶部１２は、ＭＰＵ１１によって書き込まれる各種データも記憶する。例えば、記憶部１２が、フラッシュメモリーまたはハードディスクなどであることが考えられる。
【００３４】
給電回路３は、交流の外部電源９から給電され、内部機器への給電用の直流電力を生成する回路を含む。さらに、給電回路３は、前記直流電力を内部機器に供給するか否かを切り替えるスイッチ回路も含む。外部電源９は、例えば商用電源である。給電回路３の詳細については後述する。
【００３５】
給電回路３は、主制御部１、スキャン制御部３０、プリント制御部５０、画像処理部６０、第１通信部７０および第２通信部８０などの内部機器に対して直流電力を供給する。なお、第１通信部７０は、外部装置から第１通信回線１０１を通じてファクシミリデータを受信可能な通信部の一例である。
【００３６】
電池４は、例えばアルカリ電池またはリチウム一次電池などの一次電池である。この場合、電池４は、３〜５年程度の寿命が経過するごとに交換される。なお、電池４が、電解コンデンサなどの充電可能な二次電池であることも考えられる。
【００３７】
時計回路５は、電池４から給電され、時刻を計時する回路である。後述するように、時計回路５は、信号入力端から予め定められた設定信号Ｓｔが入力された場合にその設定信号Ｓｔに相当する信号を信号出力端から出力する信号入出力回路５１を含む。なお、時計回路５は、電池駆動回路の一例である。
【００３８】
ところで、従来の画像形成装置において、待機電力を抑制するために、外部電源９からの給電開始時に主要な制御部への給電を行わないプラグインオフ型が採用される場合がある。前記プラグインオフ型の前記画像形成装置は、外部電源９からの給電開始後に通電用の操作スイッチである主電源スイッチ２１が操作されて初めて、他の内部機器を制御する前記制御部に対する給電を開始する起動用のスイッチ回路を備える。
【００３９】
従って、従来の前記プラグインオフ型の前記画像形成装置は、自装置への給電が予期せず停止した後に復旧した場合、人手による操作なしに前記制御部が中断した処理を再実行できない。
【００４０】
しかしながら、前記プラグインオフ型の前記画像形成装置においても、前記制御部がファクシミリ受信などに関する何らかの処理を停電などに起因して中断した場合には、前記制御部が中断した処理を給電の復旧後に再実行できることが望まれる。
【００４１】
一方、画像形成装置１０は、従来とは異なる給電回路３を備えることにより、従来の前記画像形成装置とは異なる機能を備える。即ち、画像形成装置１０は、基本的には前記プラグインオフ型の装置であるため待機電力を抑制でき、さらに、自装置への給電が予期せず停止した後に復旧した場合に、主制御部１などの制御部が中断した処理を再実行できる。以下、その詳細について説明する。
【００４２】
［給電回路３］
次に、図３，４を参照しつつ画像形成装置１０の給電回路３について説明する。図３は、給電回路３およびそれに関連する機器の構成図である。図４は、給電回路３およびそれに関連する機器における各種の電圧および信号の変化を表すタイムチャートである。
【００４３】
給電回路３は、内部電源３１、操作用スイッチ回路３２、通常時用スイッチ回路３３、異常検知回路３４および異常時用スイッチ回路３５などを備える。
【００４４】
内部電源３１は、交流の外部電源９から給電され、内部機器への給電用の直流電力を生成するとともに、前記直流電力を前記内部機器に供給するか否かを切り替える回路である。内部電源３１は、一次内部電源３１１および二次内部電源３１２を含む。
【００４５】
一次内部電源３１１は、外部電源９から供給される交流電力を前記直流電力へ変換する回路である。例えば、一次内部電源３１１は、予め定められたレベルの一次電圧Ｖ１を出力する交流直流変換回路である。
【００４６】
二次内部電源３１２は、一次内部電源３１１から給電され、一次電圧Ｖ１を内部機器各々に適したレベルの二次電圧Ｖ２へ変換する回路である。二次内部電源３１２は、主制御部１を含む前記内部機器に対して二次電圧Ｖ２を供給する。
【００４７】
例えば、二次内部電源３１２は、パワートランジスタ３１２１およびリニアレギュレータなどの降圧回路３１２２などを備える。
【００４８】
操作用スイッチ回路３２は、主電源スイッチ２１に対する操作に応じて二次内部電源３１２から主制御部１を含む内部機器への給電状態を給電ＯＦＦ状態から給電ＯＮ状態へ切り替える回路である。
【００４９】
操作用スイッチ回路３２は、不図示の降圧回路などを介して一次内部電源３１１から給電される。操作用スイッチ回路３２は、主電源スイッチ２１に対する操作の有無を常時監視する。さらに、操作用スイッチ回路３２は、主電源スイッチ２１に対する操作を検知したときに、予め定められた維持時間が経過するまで二次内部電源３１２から主制御部１を含む前記内部機器への給電状態を一時的に前記給電ＯＮ状態にする。前記維持時間は、主制御部１などの制御部が起動するのに必要な時間である。
【００５０】
主制御部１のＭＰＵ１１は、二次内部電源３１２からの給電の開始により起動すると、給電制御プログラムＰｒ１を実行する。給電制御プログラムＰｒ１を実行するＭＰＵ１１は、アクティブな通常時用制御信号Ｓｐ１を出力する。アクティブな通常時用制御信号Ｓｐ１は、二次内部電源３１２から主制御部１への給電状態を前記給電ＯＮ状態に維持するための制御信号である。
【００５１】
一方、給電制御プログラムＰｒ１を実行するＭＰＵ１１は、予め定められた停止条件が成立する場合、ネガティブな通常時用制御信号Ｓｐ１を出力する。ネガティブな通常時用制御信号Ｓｐ１は、二次内部電源３１２から主制御部１への給電状態を前記給電ＯＦＦ状態にするための制御信号である。また、主制御部１が動作していないときは、通常時用制御信号Ｓｐ１はネガティブ状態となる。
【００５２】
前記停止条件は、例えば、主制御部１の動作中に主電源スイッチ２１が操作されたことなどを含む。また、前記停止条件が、画像形成装置１０において何らの処理も実行されない状態が予め定められた時間以上継続したことなどを含むことも考えられる。二次内部電源３１２から前記内部機器への給電が停止することにより、画像形成装置１０の待機電力がごく小さなレベルに抑制される。
【００５３】
通常時用スイッチ回路３３は、主制御部１が出力する通常時用制御信号Ｓｐ１に従って、二次内部電源３１２から主制御部１を含む前記内部機器への給電状態を前記給電ＯＮ状態にするか前記給電ＯＦＦ状態にするかを切り替える回路である。
【００５４】
より具体的には、通常時用スイッチ回路３３は、主制御部１がアクティブな通常時用制御信号Ｓｐ１を出力しているときに、二次内部電源３１２から前記内部機器への給電状態を前記給電ＯＮ状態にする。
【００５５】
また、通常時用スイッチ回路３３は、主制御部１がネガティブな通常時用制御信号Ｓｐ１を出力したときに、二次内部電源３１２から前記内部機器への給電状態を前記給電ＯＦＦ状態にする。
【００５６】
異常検知回路３４は、外部電源９から一次内部電源３１１への給電の異常を検知する回路である。なお、異常検知回路３４は異常検知部の一例である。
【００５７】
例えば、異常検知回路３４は、ゼロクロス検知回路３４１およびゼロクロス信号監視回路３４２を備える。ゼロクロス検知回路３４１は、外部電源９の交流出力のゼロクロス信号を生成する。ゼロクロス信号監視回路３４２は、前記ゼロクロス信号が発生する時間間隔を監視し、前記ゼロクロス信号が予め定められた許容時間間隔で発生しない場合に前記給電の異常を検知する。ゼロクロス信号監視回路３４２は、前記給電の異常を検知したときに異常検知信号Ｓａを出力する。
【００５８】
異常検知回路３４が前記ゼロクロス信号に基づいて前記給電の異常を検知すれば、前記給電の異常を速やかに検知することが可能である。
【００５９】
本実施形態において、主制御部１は、他の機器を制御するとともに、異常検知回路３４が前記給電の異常を検知した場合に予め定められたアクティブな設定信号Ｓｔを出力する。
【００６０】
例えば、主制御部１のＭＰＵ１１は、二次内部電源３１２からの給電の開始により起動すると、異常監視プログラムＰｒ２を実行する。異常監視プログラムＰｒ２を実行するＭＰＵ１１は、以下の異常監視処理を実行する。
【００６１】
前記異常監視処理において、ＭＰＵ１１は、画像形成装置１０が予め定められた再起動必要状態であるときに異常検知回路３４が前記給電の異常を検知した場合に、設定信号Ｓｔとしてアクティブ設定信号Ｓｏｎを出力する。前記再起動必要状態は、例えば、主制御部１が前記ファクシミリデータの受信に関する処理を実行中の状態などである。前記ファクシミリデータの受信に関する処理は、前記ファクシミリデータを受信する処理の他、前記ファクシミリデータの受信を監視する処理なども含む。
【００６２】
また、前記異常監視処理において、ＭＰＵ１１は、起動後の予め定められた時間内に異常検知回路３４が前記給電の異常を検知しなければ、設定信号Ｓｔとしてネガティブ設定信号Ｓｏｆｆを出力する。
【００６３】
一方、時計回路５の信号入出力回路５１は、主制御部１から設定信号Ｓｔが入力された場合にその設定信号Ｓｔに対応した出力信号を出力するとともに、その出力状態を維持する。以下、信号入出力回路５１の出力信号のことを異常時用制御信号Ｓｐ２と称する。
【００６４】
より具体的には、信号入出力回路５１は、主制御部１から設定信号Ｓｔとしてアクティブ設定信号Ｓｏｎが入力された場合、アクティブな異常時用制御信号Ｓｐ２を出力するとともに異常時用制御信号Ｓｐ２のアクティブ状態を維持する。
【００６５】
さらに、信号入出力回路５１は、主制御部１から設定信号Ｓｔとしてネガティブ設定信号Ｓｏｆｆが入力された場合、ネガティブな異常時用制御信号Ｓｐ２を出力するとともに異常時用制御信号Ｓｐ２のネガティブ状態を維持する。なお、異常時用制御信号Ｓｐ２の初期状態は、前記ネガティブ状態である。
【００６６】
異常時用スイッチ回路３５は、時計回路５における信号入出力回路５１の出力信号に従って、二次内部電源３１２から主制御部１を含む前記内部機器への給電状態を前記給電ＯＮ状態にするか前記給電ＯＦＦ状態にするかを切り替える回路である。
【００６７】
異常時用スイッチ回路３５は、時計回路５の信号入出力回路５１がアクティブな異常時用制御信号Ｓｐ２を出力しているときに、二次内部電源３１２から前記内部機器への給電状態を前記給電ＯＮ状態にする。
【００６８】
また、異常時用スイッチ回路３５は、時計回路５の信号入出力回路５１がネガティブな異常時用制御信号Ｓｐ２を出力しているときに、二次内部電源３１２から前記内部機器への給電状態を前記給電ＯＦＦ状態にする。
【００６９】
操作用スイッチ回路３２、通常時用スイッチ回路３３および異常時用スイッチ回路３５は、一次内部電源３１１に対して電気的に並列に接続されている。操作用スイッチ回路３２、通常時用スイッチ回路３３および異常時用スイッチ回路３５のうちの少なくとも１つがアクティブ状態になれば、二次内部電源３１２から前記内部機器への給電状態が前記給電ＯＮ状態となる。
【００７０】
本実施形態において、操作用スイッチ回路３２は、外部電源９から一次内部電源３１１への給電が開始されてから主電源スイッチ２１が操作されるまでは、二次内部電源３１２から前記内部機器への給電状態を前記給電ＯＦＦ状態に維持する。
【００７１】
また、二次内部電源３１２から主制御部１への給電が開始しない限り、通常時用制御信号Ｓｐ１がネガティブ状態であるため、通常時用スイッチ回路３３も、二次内部電源３１２から前記内部機器への給電状態を前記給電ＯＦＦ状態に維持する。
【００７２】
さらに、主制御部１が動作中に異常検知回路３４が前記給電の異常を検知しない限り、異常時用制御信号Ｓｐ２が前記ネガティブ状態であるため、異常時用スイッチ回路３５も、二次内部電源３１２から前記内部機器への給電状態を前記給電ＯＦＦ状態に維持する。
【００７３】
従って、給電回路３は、外部電源９から一次内部電源３１１への給電が開始されてから主電源スイッチ２１が操作されるまでは、異常検知回路３４が前記給電の異常を検知しない限り、二次内部電源３１２から前記内部機器への給電状態を前記給電ＯＦＦ状態に維持する。これにより、画像形成装置１０の待機電力がごく小さなレベルに抑制される。
【００７４】
次に、図４を参照しつつ、外部電源９から一次内部電源３１１への給電が、外部電源９の停電などによって予期せず停止した後に復旧する場合における給電回路３の動作について説明する。
【００７５】
異常検知回路３４は、外部電源９の出力の異常を早期に検知し、異常検知信号Ｓａを出力する。この異常検知信号Ｓａが、動作中の主制御部１に入力される。
【００７６】
外部電源９の異常が発生しても、内部電源３１が有する電気容量により、二次電圧Ｖ２は、異常検知信号Ｓａの出力時点ｔ０からしばらくの間、主制御部１が動作可能なレベルで推移する。
【００７７】
主制御部１は、異常検知信号Ｓａの出力時点ｔ０から自らの動作が停止する時点ｔ１までの間に、設定信号Ｓｔとしてアクティブ設定信号Ｓｏｎを出力する。これにより、異常時用制御信号Ｓｐ２がネガティブ状態からアクティブ状態へ変化し、そのアクティブ状態が維持される。
【００７８】
異常時用制御信号Ｓｐ２が前記アクティブ状態に維持されることにより、異常時用スイッチ回路３５がアクティブ状態となるとともに、異常時用スイッチ回路３５のアクティブ状態が外部電源９の復旧時点ｔ２においても維持される。
【００７９】
従って、外部電源９の復旧時点ｔ２から、二次内部電源３１２が二次電圧Ｖ２の出力を開始する。これにより、二次内部電源３１２から主制御部１などへの給電が開始し、主制御部１が起動する。この点が、従来の画像形成装置と異なる点である。
【００８０】
主制御部１は、起動後に異常検知信号Ｓａが出力されていない場合、アクティブな通常時用制御信号Ｓｐ１を出力する。これにより、通常時用スイッチ回路３３がアクティブ状態となるため、その後に他のスイッチ回路がネガティブ状態となっても、二次内部電源３１２から主制御部１などへの給電は継続される。
【００８１】
さらに、主制御部１は、アクティブな通常時用制御信号Ｓｐ１を出力した時点ｔ３の後に、設定信号Ｓｔとしてネガティブ設定信号Ｓｏｆｆを出力する。これにより、異常時用制御信号Ｓｐ２が前記アクティブ状態から前記ネガティブ状態へ変化し、そのネガティブ状態が維持される。これにより、画像形成装置１０は通常の動作状態になる。
【００８２】
以上に示したように、給電回路３は、操作用スイッチ回路３２の作用により、外部電源９からの給電開始後に主電源スイッチ２１が操作されて初めて、主制御部１を含む制御部に対する給電を開始する。これにより、従来の前記プラグインオフ型の画像形成装置と同様に、画像形成装置１０の待機電力がごく小さなレベルに抑制される。
【００８３】
一方、主制御部１が動作中に異常検知回路３４が前記給電の異常を検知した場合、主制御部１が電池４から給電される時計回路５の信号入出力回路５１にアクティブな設定信号Ｓｔを出力する。これにより、外部電源９が復旧した際に、給電回路３は、異常時用スイッチ回路３５の作用により、二次内部電源３１２から主制御部１などへの給電状態を例外的に前記給電ＯＮ状態にする。
【００８４】
従って、画像形成装置１０によれば、自装置への給電が予期せず停止した後に復旧した場合に中断した主制御部１などの処理を再実行することができる。このような処理の再実行は、例えば、第１通信部７０を通じた前記ファクシミリデータの受信に関する処理が中断した場合などに有効である。
【００８５】
また、電池４および電池４から給電される時計回路５は、一般的な画像形成装置が通常備える部品である。また、信号入出力回路５１を備える時計回路５は一般的な部品である。そのため、ごく簡易な構成により、前記プラグインオフ型の装置の利点と、外部電源９が復旧した後の前記制御部の自動起動とを両立することができる。
【００８６】
また、異常監視プログラムＰｒ２を実行するＭＰＵ１１が、前記給電の異常が検知されたときに予め定められた前記再起動必要状態である場合にのみアクティブな設定信号Ｓｔを出力することもできる。これにより、外部電源９が復旧した後の前記制御部の自動起動を行うか否かを状況に応じて選択できる。例えば、原稿画像のコピー処理のように、ユーザーが装置の近くにいる状況で行われる処理が中断する場合に、外部電源９が復旧した後の前記制御部の自動起動を行わないようにすることができる。
【００８７】
[応用例]
以上に示された画像形成装置１０において、主制御部１が、ゼロクロス信号監視回路３４２を兼ねることも考えられる。例えば、ＭＰＵ１１が、ゼロクロス信号監視プログラムを実行することにより、前記ゼロクロス信号が発生する時間間隔が前記許容時間間隔で発生するか否かを監視することが考えられる。
【００８８】
また、電池４から給電され信号入出力回路５１を含む回路が、時計回路５とは異なる回路であってもよい。
【００８９】
なお、本発明に係る画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００９０】
１        ：主制御部
２        ：操作表示部
３        ：給電回路
４        ：電池
５        ：時計回路
７        ：端末装置
９        ：外部電源
１０      ：画像形成装置
１１      ：ＭＰＵ
１２      ：記憶部
２０      ：スキャン部
２１      ：主電源スイッチ
３０      ：スキャン制御部
３１      ：内部電源
３２      ：操作用スイッチ回路
３３      ：通常時用スイッチ回路
３４      ：異常検知回路（異常検知部）
３５      ：異常時用スイッチ回路
４０      ：プリント部
５０      ：プリント制御部
５１      ：信号入出力回路
６０      ：画像処理部
７０      ：第１通信部
８０      ：第２通信部
９０      ：バス
１０１    ：第１通信回線
１０２    ：第２通信回線
３１１    ：一次内部電源
３１２    ：二次内部電源
３４１    ：ゼロクロス検知回路
３４２    ：ゼロクロス信号監視回路
３１２１  ：パワートランジスタ
３１２２  ：降圧回路
Ｐｒ１    ：給電制御プログラム
Ｐｒ２    ：異常監視プログラム
Ｓａ      ：異常検知信号
Ｓｏｆｆ  ：ネガティブ設定信号
Ｓｏｎ    ：アクティブ設定信号
Ｓｐ１    ：通常時用制御信号
Ｓｐ２    ：異常時用制御信号
Ｓｔ      ：設定信号
Ｖ１      ：一次電圧
Ｖ２      ：二次電圧
【図１】
2016192652.tif 000003
【図２】
2016192652.tif 000004
【図３】
2016192652.tif 000005
【図４】
2016192652.tif 000006